(57)【要約】【課題】ユーザーがシートに関する情報を入力する手間を削減することが可能であって、かつ生産性の低下を招くことの防止を図る。【解決手段】制御手段（５０１）は、画像形成ジョブが入力された場合に、第１のモード及び第２のモードを含むモードのいずれかを実行して、画像形成手段によってシートに画像を形成させる。第１のモードでは、画像形成ジョブに含まれるシートに関する情報が、記憶手段（５０３）に記憶された情報に適合する場合に、画像形成ジョブが実行される。第２のモードでは、これらの情報が適合しない場合であっても、画像形成ジョブが実行される。制御手段（５０１）は、第２のモードを実行した場合に、入力された画像形成ジョブが、警告を必要とする警告状態であると判定可能である。【選択図】図３
2018063293.tif 000002
【特許請求の範囲】
【請求項１】
シートを保持するシート保持部と、
前記シート保持部から給送されるシートに画像を形成する画像形成手段と、
前記シート保持部に保持されたシートに関する情報を記憶可能な記憶手段と、
画像形成ジョブが入力された場合に、画像形成ジョブに含まれるシートに関する情報が前記記憶手段に記憶された情報に適合することを条件として、前記画像形成手段によってシートに画像を形成させる第１のモードと、画像形成ジョブに含まれるシートに関する情報が前記記憶手段に記憶された情報に適合しない場合であっても、前記画像形成手段によってシートに画像を形成させることが可能な第２のモードと、を含むモードのいずれかを実行する制御手段と、を備え、
前記制御手段は、前記第２のモードを実行した場合に、入力された画像形成ジョブが、警告を必要とする警告状態であると判定可能である、
ことを特徴とする画像形成装置。
【請求項２】
前記制御手段は、
前記第１のモードを実行し、入力された画像形成ジョブに含まれるシートに関する情報が前記記憶手段に記憶された情報に適合する場合に、入力された画像形成ジョブが、前記シート保持部に保持されたシートに適合する適合状態であると判定し、
前記第１のモードを実行し、入力された画像形成ジョブに含まれるシートに関する情報が前記記憶手段に記憶された情報に適合しない場合に、入力された画像形成ジョブが、前記シート保持部に保持されたシートに適合しない不適合状態であると判定する、
ことを特徴とする請求項１に記載の画像形成装置。
【請求項３】
シートを保持するシート保持部と、
前記シート保持部から給送されるシートに画像を形成する画像形成手段と、
前記シート保持部に保持されたシートに関する情報と、シートに関する情報の入力を省略可能とする省略設定が有効か無効かを示す情報と、を記憶可能な記憶手段と、
画像形成ジョブが入力された場合に、画像形成ジョブに含まれるシートに関する情報が前記記憶手段に記憶された情報に適合することを条件として、前記画像形成手段によってシートに画像を形成させる制御手段と、を備え、
前記制御手段は、前記省略設定が有効化された状態で、画像形成ジョブが入力された場合に、入力された画像形成ジョブが、警告を必要とする警告状態であると判定可能である、
ことを特徴とする画像形成装置。
【請求項４】
前記制御手段は、
前記省略設定が無効化された状態で、入力された画像形成ジョブに含まれるシートに関する情報が前記記憶手段に記憶された情報に適合する場合に、入力された画像形成ジョブが、前記シート保持部に保持されたシートに適合する適合状態であると判定し、
前記省略設定が無効化された状態で、入力された画像形成ジョブに含まれるシートに関する情報が前記記憶手段に記憶された情報に適合しない場合に、入力された画像形成ジョブが、前記シート保持部に保持されたシートに適合しない不適合状態であると判定する、
ことを特徴とする請求項３に記載の画像形成装置。
【請求項５】
入力された画像形成ジョブが前記警告状態であることを報知する報知手段を備える、
ことを特徴とする請求項１乃至４のいずれか１項に記載の画像形成装置。
【請求項６】
入力された画像形成ジョブが前記適合状態、前記不適合状態及び前記警告状態のいずれであるかを報知する報知手段を備える、
ことを特徴とする請求項２又は４に記載の画像形成装置。
【請求項７】
前記制御手段は、
画像形成ジョブが入力された場合に、入力された画像形成ジョブに基づいた画像形成の開始を保留し、
入力された画像形成ジョブが前記警告状態であると判定した場合に、前記画像形成手段による画像形成を開始するための開始指示操作を検出したことに基づいて入力された画像形成ジョブに基づいた画像形成を開始する、
ことを特徴とする請求項１乃至６のいずれか１項に記載の画像形成装置。
【請求項８】
前記制御手段は、
画像形成ジョブが入力された場合に、入力された画像形成ジョブに基づいた画像形成の開始を保留し、
入力された画像形成ジョブが前記適合状態又は前記警告状態であると判定した場合に、前記画像形成手段による画像形成を開始するための開始指示操作を検出したことに基づいて入力された画像形成ジョブに基づいた画像形成を開始し、
入力された画像形成ジョブが前記不適合状態であると判定した場合に、前記開始指示操作を受け付けず、入力された画像形成ジョブに基づいた画像形成を開始しない、
ことを特徴とする請求項２、４又は６に記載の画像形成装置。
【請求項９】
前記制御手段は、
画像形成ジョブが入力された場合に、入力された画像形成ジョブに基づいた画像形成の開始を保留し、
入力された画像形成ジョブが前記適合状態であると判定した場合に、前記画像形成手段による画像形成を開始し、
入力された画像形成ジョブが前記警告状態又は前記不適合状態であると判定した場合に、前記画像形成手段による画像形成を開始するための開始指示操作を検出したことに基づいて入力された画像形成ジョブに基づいた画像形成を開始する、
ことを特徴とする請求項２、４又は６に記載の画像形成装置。
【請求項１０】
前記制御手段は、前記第２のモードを実行した場合に、入力された画像形成ジョブが前記警告状態であると判定することを有効化する警告モードと、前記第２のモードを実行した場合に、入力された画像形成ジョブが前記警告状態であると判定することを無効化する非警告モードと、を含むモードのいずれかを実行する、
ことを特徴とする請求項１又は２に記載の画像形成装置。
【請求項１１】
前記制御手段は、前記省略設定が有効化されている場合に、入力された画像形成ジョブが前記警告状態であると判定することを有効化する警告モードと、前記省略設定が有効化されている場合に、入力された画像形成ジョブが前記警告状態であると判定することを無効化する非警告モードと、を含むモードのいずれかを実行する
ことを特徴とする請求項３又は４に記載の画像形成装置。
【請求項１２】
シートを保持するシート保持部から給送されるシートに画像を形成する画像形成装置の制御方法において、
制御手段が、前記シート保持部に保持されたシートに関する情報を記憶手段に記憶させる記憶工程と、
前記制御手段が、画像形成ジョブが入力された場合に、画像形成ジョブに含まれるシートに関する情報が前記記憶手段に記憶された情報に適合することを条件として、画像形成手段によってシートに画像を形成させる第１のモードと、画像形成ジョブに含まれるシートに関する情報が前記記憶手段に記憶された情報に適合しない場合であっても、前記画像形成手段によってシートに画像を形成させることが可能な第２のモードと、を含むモードのいずれかを実行する画像形成工程と、
前記第２のモードを実行した場合に、入力された画像形成ジョブが、警告を必要とする警告状態であると判定する判定工程と、を含む、
ことを特徴とする画像形成装置の制御方法。
【請求項１３】
シートを保持するシート保持部から給送されるシートに画像を形成する画像形成装置の制御方法において、
制御手段が、前記シート保持部に保持されたシートに関する情報と、シートに関する情報の入力を省略可能とする省略設定が有効か無効かを示す情報と、を記憶手段に記憶させる記憶工程と、
前記制御手段が、画像形成ジョブが入力された場合に、画像形成ジョブに含まれるシートに関する情報が前記記憶手段に記憶された情報に適合することを条件として、画像形成手段によってシートに画像を形成させる画像形成工程と、
前記省略設定が有効化された状態で、画像形成ジョブが入力された場合に、入力された画像形成ジョブが、警告を必要とする警告状態であると判定する判定工程と、を含む、
ことを特徴とする画像形成装置の制御方法。
【請求項１４】
請求項１２又は１３に記載された画像形成装置の制御方法の各工程を、コンピュータに実行させるプログラム。
【発明の詳細な説明】
【技術分野】
【０００１】
本発明は、記録材に画像を形成する画像形成装置、画像形成装置を制御するための制御方法、及びその制御方法をコンピュータに実行させるためのプログラムに関する。
【背景技術】
【０００２】
画像形成装置は、記録材となるシートを保持するためのシート保持部として、給送カセットや手差しトレイ等を備えており、画像形成ジョブが投入された場合には、シート保持部に保持されたシートに画像を形成する。特許文献１には、画像形成ジョブが投入された場合に、画像形成ジョブによって指定されたシートに関する情報に適合するシートがシート保持部に保持されているか否かを確認する画像形成装置が開示されている。即ち、画像形成ジョブに含まれるシートに関する情報には、例えばシートサイズ、シート向き、シート種類、シート枚数が含まれており、シート保持部に保持されたシートに関する情報に適合するかどうか判定される。そして、この画像形成装置は、画像形成ジョブのシートに関する情報とシート保持部のシートに関する情報とが適合する場合に画像形成を行うことで、適合しないシートに対する画像形成の防止が図られている。
【先行技術文献】
【特許文献】
【０００３】
【特許文献１】特開２０１１−９９８０号公報
【発明の概要】
【発明が解決しようとする課題】
【０００４】
ところで、シート保持部に保持されたシートに関する情報は、例えば画像形成装置の操作部を介してユーザーが設定操作を行うことで、画像形成装置の制御ユニットに設定される。これに対して、近年、ユーザーの設定操作の手間を削減するため、例えばフリーサイズ機能やフリー種類機能のように手差しトレイに保持されたシートに関する情報の入力を省略する機能を実装した画像形成装置がある。このようにシートに関する情報の入力を省略可能な画像形成装置では、画像形成ジョブの情報が適合するものとして扱うため、シートを補充したり保持させたりする毎に操作部を介してユーザーが設定操作する手間を削減して生産性の向上を図ることができる。しかしながら、このような設定操作の省略機能は、画像形成ジョブと実際のシートとが適合するものとして扱うため、実際には、シートサイズが異なる場合やシート種類が異なる場合などの可能性がある。シートサイズが異なる場合には、例えばシートに印刷された画像が途中で切れてしまう虞があり、シート種類が異なる場合には画像が乱れる虞もある。このように画像形成の成果物がユーザーの所望する結果にならないと、画像形成のやり直しとなる場合があり、結局は生産性の低下を招く虞もある。
【０００５】
また、画像形成ジョブには、ページ記述言語（Ｐａｇｅ  Ｄｅｓｃｒｉｐｔｉｏｎ  Ｌａｎｇｕａｇｅ、以下ＰＤＬとする）によって記述され、ホストコンピュータから画像形成装置に送信されるＰＤＬジョブが含まれる。ＰＤＬジョブを実行する場合に、シート保持部について設定されたシートに関する情報に関わらず、ＰＤＬジョブによって指定されたシートに関する情報を優先的に用いてＰＤＬジョブを実行する画像形成装置も考えられる。このような画像形成装置では、画像形成の際に、シート保持部についてシートに関する情報を用いないので、シートに関する情報の入力を省略可能であり、操作部を介してユーザーが設定操作する手間を削減して生産性の向上を図ることができる。しかしながら、ＰＤＬジョブにより画像形成を行う場合では、そもそもシート保持部に対して記憶されたシートに関する情報との適合判定を行わないので、上記と同様に、実際には、シートサイズが異なる場合やシート種類が異なる場合などの可能性がある。従って同様に、画像形成の成果物がユーザーの所望する結果にならず画像形成のやり直しとなる場合があって、生産性の低下を招く虞ある。さらに、ＰＤＬジョブのシートに関する情報を用いて画像形成を行う場合には、サイズの相違や厚みの相違に起因してジャム判定を生じさせる虞もあり、画像形成が停止してしまうことによる生産性の低下を招く虞もある。
【０００６】
そこで、本発明は、ユーザーがシートに関する情報を入力する手間を削減することが可能であって、かつ生産性の低下を招くことの防止を図る画像形成装置、その制御方法、及びプログラムを提供することを目的とする。
【課題を解決するための手段】
【０００７】
本発明は、画像形成装置において、シートを保持するシート保持部と、前記シート保持部から給送されるシートに画像を形成する画像形成手段と、前記シート保持部に保持されたシートに関する情報を記憶可能な記憶手段と、画像形成ジョブが入力された場合に、画像形成ジョブに含まれるシートに関する情報が前記記憶手段に記憶された情報に適合することを条件として、前記画像形成手段によってシートに画像を形成させる第１のモードと、画像形成ジョブに含まれるシートに関する情報が前記記憶手段に記憶された情報に適合しない場合であっても、前記画像形成手段によってシートに画像を形成させることが可能な第２のモードと、を含むモードのいずれかを実行する制御手段と、を備え、前記制御手段は、前記第２のモードを実行した場合に、入力された画像形成ジョブが、警告を必要とする警告状態であると判定可能である、ことを特徴とする。
【０００８】
また、本発明は、画像形成装置において、シートを保持するシート保持部と、前記シート保持部から給送されるシートに画像を形成する画像形成手段と、前記シート保持部に保持されたシートに関する情報と、シートに関する情報の入力を省略可能とする省略設定が有効か無効かを示す情報と、を記憶可能な記憶手段と、画像形成ジョブが入力された場合に、画像形成ジョブに含まれるシートに関する情報が前記記憶手段に記憶された情報に適合することを条件として、前記画像形成手段によってシートに画像を形成させる制御手段と、を備え、前記制御手段は、前記省略設定が有効化された状態で、画像形成ジョブが入力された場合に、入力された画像形成ジョブが、警告を必要とする警告状態であると判定可能である、ことを特徴とする。
【０００９】
また、本発明は、シートを保持するシート保持部から給送されるシートに画像を形成する画像形成装置の制御方法において、制御手段が、前記シート保持部に保持されたシートに関する情報を記憶手段に記憶させる記憶工程と、前記制御手段が、画像形成ジョブが入力された場合に、画像形成ジョブに含まれるシートに関する情報が前記記憶手段に記憶された情報に適合することを条件として、画像形成手段によってシートに画像を形成させる第１のモードと、画像形成ジョブに含まれるシートに関する情報が前記記憶手段に記憶された情報に適合しない場合であっても、前記画像形成手段によってシートに画像を形成させることが可能な第２のモードと、を含むモードのいずれかを実行する画像形成工程と、前記第２のモードを実行した場合に、入力された画像形成ジョブが、警告を必要とする警告状態であると判定する判定工程と、を含む、ことを特徴とする。
【００１０】
また、本発明は、シートを保持するシート保持部から給送されるシートに画像を形成する画像形成装置の制御方法において、制御手段が、前記シート保持部に保持されたシートに関する情報と、シートに関する情報の入力を省略可能とする省略設定が有効か無効かを示す情報と、を記憶手段に記憶させる記憶工程と、前記制御手段が、画像形成ジョブが入力された場合に、画像形成ジョブに含まれるシートに関する情報が前記記憶手段に記憶された情報に適合することを条件として、画像形成手段によってシートに画像を形成させる画像形成工程と、前記省略設定が有効化された状態で、画像形成ジョブが入力された場合に、入力された画像形成ジョブが、警告を必要とする警告状態であると判定する判定工程と、を含む、ことを特徴とする。
【発明の効果】
【００１１】
本発明によると、ユーザーがシートに関する情報を入力する手間を削減することが可能であって、かつ生産性の低下を招くことの防止を図ることができる。
【図面の簡単な説明】
【００１２】
【図１】第１の実施形態に係る画像形成装置を示す断面図である。
【図２】手差しトレイの構成を示す概略図である。
【図３】画像形成装置の全体構成を示すブロック図である。
【図４】ジョブ設定優先機能の有効／無効を設定する際にタッチパネルに表示されるジョブ優先設定画面を示す図である。
【図５】手差しトレイに載置されたシートのサイズ及び向きに関する情報を設定する際にタッチパネルに表示されるサイズ設定画面を示す図である。
【図６】ユーザー設定によりシートのサイズを入力する際にタッチパネルに表示されるユーザー設定画面を示す図である。
【図７】待機状態である印刷ジョブをリスト化したホールドジョブリストと、画像形成中又は画像形成開始の指示を受けた印刷ジョブをリスト化したプリントジョブリストと、を示す図である。
【図８】画像形成装置において実行されるミスマッチチェック処理の手順を示すフローチャートである。
【図９】（ａ）は、ホールドジョブリストに表示されるＯＫアイコンを示す図であり、（ｂ）は、ホールドジョブリストに表示される警告アイコンを示す図であり、（ｃ）は、ホールドジョブリストに表示されるＮＧアイコンを示す図である。
【図１０】第２の実施形態に係る画像形成装置において実行されるサスペンドオンミスマッチ処理の手順を示すフローチャートである。
【図１１】フリーサイズモードの実行により画像形成の開始が保留となっていることを報知するためにタッチパネルに表示される保留画面を示す図である。
【図１２】第３の実施形態において、判定モードを切換える際にタッチパネルに表示される状態判定設定画面を示す図である。
【図１３】画像形成装置において実行されるミスマッチチェック処理の手順を示すフローチャートである。
【発明を実施するための形態】
【００１３】
以下、図面を参照しながら、本開示に係る画像形成装置について説明する。
【００１４】
＜第１の実施形態＞
以下、図１乃至図９を用いて、第１の実施形態について説明する。本開示の画像形成装置は、複写機、プリンタ、ファクシミリ及びこれら複合機器等、シートを給送可能なシート給送装置を備えた画像形成装置である。以下の実施形態においては、画像形成装置の一例としてカラー印刷を行うことができるカラー画像形成装置であるプリンタ１を用いて説明する。シートとは、用紙又は封筒等の紙、オーバーヘッドプロジェクタ用のプラスチックフィルム（ＯＨＴ）、布などの薄層状の記録媒体を指す。
【００１５】
［画像形成装置のハード構成］
まず、プリンタ１の概略構成について、図１を参照しながら説明する。図１に示すように、プリンタ１は、原稿の画像を読み取り可能なリーダ部１００と、プリンタ部２００と、を備える。本実施形態においては、リーダ部１００がプリンタ部２００の上方に配置されている。リーダ部１００は、原稿を自動給送可能な原稿給送装置であるＡＤＦ１０１を備え、ＡＤＦ１０１によりプラテンガラス１０２に搬送された原稿をリーダ１０３により光学的に読み取る。そして、リーダ１０３により読み取られた情報は、制御システム５００（図３参照）に送信される。
【００１６】
プリンタ部２００は、プリンタ部２００の筐体を構成する本体部２０１と、シートに画像を形成可能な画像形成部４００と、画像形成部４００にシートを給送するシート給送部３００と、を備える。画像形成部４００は、レーザ光を照射するレーザスキャナユニット４０１と、レーザスキャナユニット４０１のレーザ光が照射される感光体ドラム４０２と、感光体ドラム４０２にトナー像を現像する黒色現像器４０４及び回転現像器４０５と、を備える。感光体ドラム４０２は、帯電器４０３によって予め負電圧に帯電されており、リーダ部１００により読み取られた画像の情報又はコンピュータ等のプリンタ１の外部から受信した画像の情報に基づいてレーザスキャナユニット４０１にレーザ光が照射される。これにより、感光体ドラム４０２では、レーザ光が照射された表面から負電荷が除去されて静電潜像が形成される。黒色現像器４０４では、黒色のトナーが負電圧に帯電されており、帯電した黒色トナーが感光体ドラム４０２の静電潜像に付着され、感光体ドラム４０２上に黒色のトナー像を現像する。
【００１７】
回転現像器４０５は、イエロー、マゼンダ、シアンの各色に対応する現像器４０５ａ〜４０５ｃと現像器４０５ａ〜４０５ｃを回転移動させて現像器４０５ａ〜４０５ｃのいずれかを感光体ドラム４０２に対向する位置に移動させる不図示のモータとを有する。現像器４０５ａ〜４０５ｃでは、黒色現像器４０４と略同様に、対応する色のトナーが負電圧に帯電されており、帯電したトナーが感光体ドラム４０２の静電潜像に付着され、感光体ドラム４０２上に対応する色のトナー像を現像する。
【００１８】
感光体ドラム４０２上に形成されたトナー像は、中間転写部４１０に転写される。中間転写部４１０には、不図示の駆動ローラに巻き掛けられて回転する中間転写ベルト４１１と、中間転写ベルト４１１を感光体ドラム４０２に圧接するように押圧する１次転写帯電器４１２と、を有する。感光体ドラム４０２上のトナー像は、正電圧に帯電した１次転写帯電器４１２に引きつけられて、中間転写ベルト４１１に転写される。中間転写ベルト４１１にトナー像が転写された後に、感光体ドラム４０２では、感光体ドラム４０２上に残るトナーがクリーニング部４０６により除去され、前露光ランプ４０７により除電される。
【００１９】
また、画像形成部４００は、シート給送部３００から給送されたシートを中間転写ベルト４１１に同期して中間転写ベルト４１１に送り出すレジストレーションローラ対（以降、レジストローラ対という）４２１を有する。そして、シート搬送方向においてレジストローラ対４２１の下流には、レジストローラ対４２１から給送されたシートを中間転写ベルト４１１に圧接するように押圧する２次転写帯電器４２２が設けられている。中間転写ベルト４１１上のトナー像は、正電圧に帯電した２次転写帯電器４２２に引きつけられて、レジストローラ対４２１から給送されたシートに転写される。レジストローラ対４２１から給送されたシートにトナー像が転写された後に、中間転写ベルト４１１では、中間転写ベルト４１１上に残るトナーがクリーニング部４１３により除去される。
【００２０】
トナー像が転写されたシートは、シート搬送方向において２次転写帯電器４２２の下流に配置された定着装置４２３によって加圧及び加熱されてトナー像が定着される。そして、トナー像が定着されたシートは、排出ローラ対４２４によって、プリンタ１から排出される。
【００２１】
また、シート搬送方向において定着装置４２３の下流には、排出ローラ対４２４と共にシート反転部４２５が配置されている。シート反転部４２５は、反転ローラ対４２５ａと、シートの搬送先を排出ローラ対４２４と反転ローラ対４２５ａとに切換える切換え部材４２５ｂと、を有する。両面印刷が行われる場合に、定着装置４２３により表面（第１面）にトナー像が定着されたシートは、切換え部材４２５ｂにより反転ローラ対４２５ａに搬送されて、シート貯留部４２６に搬送される。そして、シート反転部４２５は、シートがシート貯留部４２６まで搬送された後に、反転ローラ対４２５ａの回転方向を反転させることにより、シートを両面搬送路４２７に搬送する。
【００２２】
両面搬送路４２７に搬送されたシートは、両面搬送路４２７に配置された両面搬送ローラ対４２８によりレジストローラ対４２１に送り出される。レジストローラ対４２１に送り出されたシートは、画像形成部４００によって、表面とは反対の裏面（第２面）に画像が形成される。
【００２３】
シート給送部３００は、シートを保持して収納するシート保持部であるカセットデッキ３０１ａ〜３０１ｄを有する。また、シート給送部３００は、各カセットデッキに対応して設けられたピックアップローラ３０２と、給送方向においてピックアップローラ３０２の下流に配置された給送ローラ対３０３と、を有する。給送ローラ対３０３は、ピックアップローラ３０２によって給送されたシートを画像形成部４００に搬送するフィードローラ３０４と、給送されたシートをフィードローラ３０４と共に１枚ずつに分離するリタードローラ３０５と、を有する。各カセットデッキに収納されたシートは、ピックアップローラ３０２がシートを押圧しながら回転することにより、給送ローラ対に３０３に給送され、給送ローラ対３０３により１枚ずつ分離されて画像形成部４００に給送される。また、カセットデッキ３０１ａ〜３０１ｄの各カセットデッキには、シートの有無を検出する不図示のシート検出センサが設置されており、シート検出センサは、制御システム５００（図３参照）に接続されている。
【００２４】
また、プリンタ１は、シート給送部３００とは別に、本体部２０１の外側においてシートを載置する手差し給送部４５０を備える。図２は、手差し給送部４５０を示す概略図である。手差し給送部４５０は、図２に示すように、本体部２０１の外側においてシートを保持するシート保持部である手差しトレイ４５１を有する。また、手差し給送部４５０は、手差しトレイ４５１に載置されたシートを画像形成部４００のレジストローラ対４２１に給送するピックアップローラ４５２を有する。手差しトレイ４５１に載置されたシートは、ピックアップローラ４５２により不図示の給送ローラ対に給送され、給送ローラ対により１枚ずつレジストローラ対４２１に給送される。このように、画像形成部４００は、シート保持部であるカセットデッキ３０１ａ〜３０１ｄ及び手差しトレイ４５１から給送されるシートに画像を形成するように構成されており、画像形成手段に相当する。
【００２５】
また、手差しトレイ４５１には、手差しトレイ４５１に載置されたシートにおいてシート給送方向に直交する幅方向の端部を規制するガイド４５３ａ，４５３ｂが幅方向に移動可能に設置されている。ガイド４５３ａ，４５３ｂは、手差しトレイ４５１における幅方向の中心に対して対称的に移動可能である。プリンタ部２００には、ガイド４５３ａとガイド４５３ｂとの間の距離を検出する不図示の幅検出センサが設けられており、幅検出センサにより、ガイド４５３ａ，４５３ｂに挟まれたシートの幅が検出される。
【００２６】
また、画像形成部４００のレジストローラ対４２１には、シートを検出するシート検出センサ４３０が配置されている。シート給送部３００又は手差し給送部４５０から給送されたシートは、シート検出センサ４３０によりシートの通過が検出される。
【００２７】
［制御システムの構成］
図３は、プリンタ１に搭載された制御システム５００を示すブロック図である。制御システム５００は、図３に示すように、制御部５０１、ＨＤＤ５０２、ＲＡＭ５０３、ＲＯＭ５０４及びネットワークインターフェース（ネットワークＩ／Ｆ）５０５を有する。ただし、ＲＯＭは読取り専用メモリ、ＨＤＤはハードディスクドライブの略称である。
【００２８】
制御部５０１は、中央処理装置（ＣＰＵ）から構成されたプリンタ１の制御手段であり、ＲＯＭ１１２等に記憶された制御プログラムの実行媒体であり、制御システム５００に接続されたデバイスの機械的・電気的動作を制御する。例えば、制御部５０１は、画像形成ジョブを実行してプリンタ部２００に画像形成動作を行わせる。ただし、画像形成ジョブとは、制御システム５００が実行すべき画像形成動作のタスクである。具体的に、画像形成ジョブは、各ページの画像データ、部数、シートのサイズ及び種類、シート供給元のシート保持部、両面／ステイプリング等の機能設定等が含まれるデータ列を指すものとする。画像形成ジョブには、リーダ部１００によって取得した画像データに基づいて制御システム５００によって生成されるコピージョブと、外部から入力される後述の印刷ジョブとが含まれる。
【００２９】
ＲＯＭ５０４は、システム起動に必要なブートプログラムなどを記憶し、ＨＤＤ５０２は、磁気ディスクなどの記憶媒体であり、各種制御プリグラムを記憶する。揮発メモリであるＲＡＭ５０３は、ＨＤＤ５０２から読み出された制御プログラムを実行する際のワークエリアとして使用される。ＨＤＤ５０２、ＲＡＭ５０３及びＲＯＭ５０４は、記憶手段に相当する。
【００３０】
制御部５０１は、送受信手段としてのネットワークＩ／Ｆ５０５を介して、局所的又は広域的なネットワーク（ＬＡＮ／ＷＡＮ）に接続されている。これにより、制御システム５００は、パーソナルコンピュータ（ＰＣ）８００等のホストコンピュータとの間でデータを送信及び受信可能である。例えば、制御部５０１は、ＰＣ８００からページ記述言語（Ｐａｇｅ  Ｄｅｓｃｒｉｐｔｉｏｎ  Ｌａｎｇｕａｇｅ：ＰＤＬ）によって記述された画像形成ジョブ（以下、印刷ジョブとする）を受信する。また、制御部５０１は、画像形成ジョブの進捗状況やシートの残量等、プリンタ１の内部状態をホストコンピュータに送信する。なお、画像形成ジョブである印刷ジョブには、シートのサイズ及び種類の情報が含まれるが、シートのサイズ、向き及び種類を指定しない場合に、シートのサイズ、向き及び種類として「自動選択」を示す情報が格納される。
【００３１】
制御部５０１には、プリンタ１に設けられた各種センサが接続されている。制御部５０１は、各カセットデッキに設けられたシート検出センサにより各カセットデッキにおけるシートの有無の情報を取得し、手差しトレイ４５１に設けられた幅検出センサにより手差しトレイ４５１に載置されたシート幅を測定する。また、制御部５０１は、レジストローラ対４２１を通過するシートをシート検出センサ４３０が検出した時間から、搬送されるシートにおけるおよそのシート長さを計測する。
【００３２】
また、制御システム５００には、プリンタ１に設けられた表示部５５１及び操作部５５２が接続されている。表示部５５１は、表示灯としてのＬＥＤや液晶ディスプレイを含み、制御システム５００からの信号に基づいてユーザーによる操作結果や装置の内部状態を表示する。操作部５５２は、ハードキー群や、表示部５５１のタッチパネル機能を実現する制御構成を含んでおり、ユーザーの操作を受付けて電子信号として制御システム５００に伝達する。プリンタ１には、表示部５５１と操作部５５２とを兼ねるタッチパネル６００（図４参照）が設けられている。
【００３３】
制御部５０１は、カセットデッキ３０１ｃ，３０１ｄ及び手差しトレイ４５１に載置されたシートの属性に関するシート属性情報を、タッチパネル６００を介したユーザーの操作に基づいて認識する。ただし、シートの属性とは、シートのサイズ、シートの向き、材質（坪量、表面処理の有無、材料等）、形状（インデックス紙、ルーズリーフ等）、及び特殊用途（封筒等）等の特徴を総称するものとする。制御部５０１は、ユーザーによって直接的に入力されたシート属性情報をＲＡＭ５０３の一部として設けられたスタティックＲＡＭ領域（不図示）に記憶させる。なお、スタティックＲＡＭ領域は、プリンタ１に設けられた電池から電力が供給されている。これにより、カセットデッキ３０１ｃ，３０１ｄ及び手差しトレイ４５１のシート属性情報は、プリンタ１の電源が落とされたとしても、電池から供給される電力により保持される。
【００３４】
また、プリンタ１では、カセットデッキ３０１ａ，３０１ｂのシート属性情報が工場出荷時に予め設定されてＨＤＤ５０２に記憶されており、ユーザーが変更することができないように構成されている。なお、プリンタ１では、カセットデッキ３０１ｃ，３０１ｄ及び手差しトレイ４５１と略同様に、カセットデッキ３０１ａ，３０１ｂのシート属性情報も設定可能に構成されていてもよい。このように、ＲＡＭ５０３及びＨＤＤ５０２等の記憶手段は、シート保持部に積載されたシートのシート属性情報を記憶可能に構成されている。
【００３５】
［ジョブ設定優先機能］
ここで、プリンタ１に実装されるジョブ設定優先機能について説明する。上述した通り、カセットデッキ３０１ａ〜３０１ｄ及び手差しトレイ４５１に保持されたシートのシート属性情報は、ＲＡＭ５０３及びＨＤＤ５０２等の記憶手段に記憶される。その一方で、外部のホストコンピュータから受信する印刷ジョブには、シート供給元となるシート保持部を指定する情報や、シートのサイズ及び向きを指定する情報等が含まれる。一般的に、印刷ジョブを実行する場合には、画像形成動作を開始するための条件として、印刷ジョブに含まれるシート属性情報と、記憶手段に記憶されたシート属性情報とが適合することが要求される場合が多い。しかし、この場合、ユーザーは、ドライバソフトウェアを介したシート属性情報の設定操作と、画像形成装置の操作部を介したシート属性情報の設定操作の両方を行う必要がある。また、属性の異なる複数種類のシートを頻繁に交換しながら印刷を実行する場合には、ユーザーがシートを交換する度にシート属性情報を再設定する必要が生じ、ユーザーの操作負担が増大してしまう。
【００３６】
そこで、プリンタ１に設けられた一部又は全部のシート保持部について、記憶手段に記憶されたシート属性情報に対して、印刷ジョブに含まれるシート属性情報を優先的に使用して画像形成動作を実行する機能を設けることが考えられる。以下、このような機能を「ジョブ設定優先機能」とし、ジョブ設定優先機能が有効である状態で制御部５０１が画像形成ジョブを実行するモードを「ジョブ設定優先モード」とする。また、説明の便宜上、ジョブ設定優先機能が無効である状態で制御部５０１が画像形成ジョブを実行するモード、すなわち、プリンタ１に設定されたシート属性情報を優先的に使用して画像形成実行するモードを「プリンタ優先モード」とする。プリンタ優先モードは、画像形成ジョブを実行する際の第１のモードに相当し、ジョブ設定優先モードは、画像形成ジョブを実行する際の第２のモードに相当する。
【００３７】
なお、本実施例では、手差しトレイ４５１に対してのみジョブ設定優先モードが適用される構成となっているが、他のシート保持部に対してジョブ設定優先モードを適用可能な構成としてもよい。
【００３８】
図４は、手差しトレイ４５１に対するジョブ設定優先機能の有効／無効を設定する際にタッチパネル６００に表示されるジョブ優先設定画面を示す図である。タッチパネル６００のジョブ優先設定画面には、図４に示すように、ジョブ設定優先機能を有効に設定したジョブ設定優先印刷を実行可能に設定するか否かを選択する選択キー６０１が表示される。
【００３９】
選択キー６０１では、ジョブ設定優先機能を有効にする「設定する」キー６０１ａと、ジョブ設定優先機能を無効にする「設定しない」キー６０１ｂと、を選択可能に構成されている。「設定する」キー６０１ａ又は「設定しない」キー６０１ｂが押下操作された後に、ジョブ優先設定画面に表示される「ＯＫ」キー６０２が押下操作されることにより、制御部５０１は、ジョブ設定優先モード又はプリンタ優先モードを適用する。具体的には、「設定する」キー６０１ａが押下操作された後に、「ＯＫ」キー６０２が押下操作された場合に、制御部５０１は、記憶手段に格納されるフラグであり、ジョブ設定優先機能が有効であること示すジョブ優先フラグをＯＮ状態に切換える。また、「設定しない」キー６０１ｂが押下操作された後に、「ＯＫ」キー６０２が押下操作された場合に、制御部５０１は、ジョブ優先フラグをＯＦＦ状態に切換える。
【００４０】
なお、ジョブ優先設定画面に表示される「キャンセル」キー６０３が押下操作された場合には、「設定する」キー６０１ａ又は「設定しない」キー６０１ｂが押下操作されていたとしても、ジョブ設定優先機能の有効／無効の切換が行われない。すなわち、「キャンセル」キー６０３が押下操作された場合に、制御部５０１は、タッチパネル６００にジョブ優先設定画面が表示される前のモードを保持する。また、本実施形態では、ジョブ設定優先機能の有効／無効は、タッチパネル６００を用いた操作によって切換えられるが、ドライバソフトウェアを介してホストコンピュータ側で設定可能な構成としてもよい。
【００４１】
［シート属性の設定］
ここで、制御部５０１がプリンタ優先モードにおいて画像形成を実行する際に参照するシート保持部のシート属性情報の設定について説明する。上述したように、プリンタ１では、カセットデッキ３０１ｃ，３０１ｄ及び手差しトレイ４５１のシート属性情報をユーザーがタッチパネル６００を用いた操作により設定可能に構成されている。ここでは、一例として、手差しトレイ４５１に載置されたシートに関するシート属性情報の設定について、図５及び図６を用いて説明する。なお、シート属性の内、「シートの向き」とは、具体的にはシートの長辺がシート給送方向に平行となる「長辺送り向き」、及び短辺がシート給送方向に並行となる「短辺送り向き」等を指すものとする。また、「シートの種類」とは、シートのサイズ及び向き以外の属性によるシートの分類を指すものとする。
【００４２】
図５は、手差しトレイ４５１に載置されたシートのサイズ及び向きに関する情報を設定する際にタッチパネル６００に表示されるサイズ設定画面を示す図である。タッチパネル６００のサイズ設定画面には、図５に示すように、手差しトレイ４５１に載置されたシートのサイズ及び向きを、予めプリンタ１に設定されたサイズ及び向きの組合せから選択するためのサイズ選択キー群６１１が表示される。
【００４３】
ユーザーは、サイズ選択キー群６１１から手差しトレイ４５１に載置されたシートのサイズ及び向きに該当するサイズ選択キーを選択して押下操作し、サイズ設定画面に表示される遷移キー６１４を押下操作する。これにより、制御部５０１は、選択されたサイズ選択キーのサイズ及び向きの情報を、手差しトレイ４５１に載置されたシートのサイズ及び向きに関する情報としてＲＡＭ５０３に記憶させる。
【００４４】
また、タッチパネル６００のサイズ設定画面には、手差しトレイ４５１に載置されたシートのサイズが予めプリンタ１に設定されていないサイズである場合に、ユーザーがサイズを設定するユーザー設定を行うためのユーザー設定サイズキー６１２も表示される。ユーザー設定サイズキー６１２が押下操作されると、タッチパネル６００には、シートサイズとして数値を入力可能なユーザー設定画面が表示される。
【００４５】
図６は、タッチパネル６００に表示されるユーザー設定画面を示す図である。タッチパネル６００のユーザー設定画面には、図６に示すように、シート長さ及びシート幅を入力可能な入力欄６２１，６２２と、入力欄６２１，６２２に値を入力するためのテンキー６２３と、が表示される。ユーザーは、入力欄６２１，６２２のどちらかを選択した後に、テンキー６２３を押下操作して、選択した入力欄に値を入力する。入力欄６２１，６２２に値が入力された後に「ＯＫ」キー６２５が押下操作されることにより、制御部５０１は、入力欄６２１，６２２に入力された値を、手差しトレイ４５１に載置されたシートのサイズに関する情報としてＲＡＭ５０３に記憶させる。なお、手差しトレイ４５１に載置されたシートのサイズに関する情報が入力されることにより、シート長さ及びシート幅のどちらが長いかが判明するので、シートの向きに関する情報も同時に入力されることとなる。
【００４６】
ここでは、図示していないが、手差しトレイ４５１に載置されたシートサイズ及び向きに関する情報が設定された後に、タッチパネル６００には、シート種類を設定するための種類設定画面等が表示され、シート種類に関する情報も設定可能に構成されている。
【００４７】
［フリーサイズ機能］
また、プリンタ１には、手差しトレイ４５１に載置されたシートのサイズ及び向きに関する情報の入力を行うことなくプリンタ１が画像形成ジョブを実行可能な省略設定であるフリーサイズ機能が実装されている。タッチパネル６００のサイズ設定画面には、図５に示すように、サイズ選択キー群６１１及びユーザー設定サイズキー６１２と共に、フリーサイズ機能を有効化するための「フリーサイズ」キー６１３が表示される。「フリーサイズ」キー６１３が押下操作されて遷移キー６１４が押下操作されることにより、制御部５０１は、フリーサイズ機能を有効化する。なお、プリンタ１では、フリーサイズ機能が手差しトレイ４５１に対してのみ設定可能に構成されており、「フリーサイズ」キー６１３は、手差しトレイ４５１に載置されたシートのサイズ及び向きを設定するサイズ設定画面にのみ表示される。
【００４８】
フリーサイズ機能が有効である場合に、手差しトレイ４５１に載置されるシートのサイズ及び向きを表す設定値は、不定サイズを表す定数となってＲＡＭ５０３に記憶される。また、説明の便宜上、フリーサイズ機能が有効である場合に設定されるシートのサイズ及び向きを表す設定値を、フリー設定値とする。フリー設定値は、プリンタ１により印刷可能な全てのサイズ及び向きの情報を含有する情報である。すなわち、印刷ジョブに含まれるシートのサイズ及び向きがプリンタ１により印刷可能なサイズ及び向きの範囲以内である場合に、制御部５０１は、印刷ジョブに含まれるシートのサイズ及び向きがフリー設定値に適合するとみなすように構成されている。このように、プリンタ１では、シートのサイズ及び向きの入力を省略可能に構成されており、フリー設定値は、省略設定が有効か無効かを示す情報に相当する。
【００４９】
制御部５０１は、シート搬送時にシートの位置ズレやジャム等を防ぐために、搬送するシートのシート幅及びシート長さに基づいてシート搬送処理を行う。フリーサイズ機能が有効である状態で印刷が開始された場合には、シート幅として、ガイド４５３ａとガイド４５３ｂとの間の距離を検出する幅検出センサにより検出された値が代用され、シート長さとして、適当な値が代用される。シート長さとして代用される値は、プリンタ１がサポートするシートサイズの最大長（例えば、Ａ３サイズの長辺長さである４２０ｍｍ）とすると好適である。また、制御部５０１は、１枚目のシートを搬送する際に、通過する１枚目のシートをシート検出センサ４３０が検出していた時間から、１枚目のシート長さを計測する。そして、制御部５０１は、２枚目のシートを搬送する際に、計測したシート長さを手差しトレイ４５１に載置されるシート長さとして補完する。
【００５０】
なお、プリンタ１では、フリーサイズ機能が手差しトレイ４５１に対してのみ設定可能に構成されているが、これに限らず、カセットデッキ３０１ａ〜３０１ｄに対しても設定可能に構成されていてもよい。説明の便宜上、プリンタ優先モードにおいて、フリーサイズ機能が有効に設定されたシート保持部がシート供給元に設定された画像形成ジョブを実行するモードを「フリーサイズモード」とする。また、プリンタ優先モードにおいて、フリーサイズ機能が有効に設定されていないシート保持部がシート供給元に設定された画像形成ジョブを実行するモードを「通常モード」とする。
【００５１】
［画像形成が実行されるまでに実行される制御処理］
制御部５０１は、外部のホストコンピュータから印刷ジョブを受信すると、まずＨＤＤ５０４にスプールし、画像形成の開始が保留されて待機状態となった印刷ジョブをタッチパネル６００に表示することが可能である。図７は、待機状態である印刷ジョブをリスト化したホールドジョブリスト６３１と、画像形成中又は画像形成開始の指示を受けた印刷ジョブをリスト化したプリントジョブリスト６３２と、を示す図である。制御部５０１は、図７に示すように、受信した印刷ジョブの印刷ジョブ名を受信した順番に並べてホールドジョブリスト６３１に表示する。
【００５２】
制御部５０１は、待機状態である印刷ジョブが画像形成可能なジョブであるか否かを判定するミスマッチチェック処理を実行することが可能である。制御部５０１は、ミスマッチチェック処理により待機状態にある印刷ジョブが画像形成可能なジョブであると判定されるまで、その印刷ジョブに対しての画像形成開始の指示を受付けないように構成されている。具体的には、ミスマッチチェック処理により画像形成可能なジョブであると判定された印刷ジョブ名がホールドジョブリスト６３１から選択された場合に、タッチパネル６００上の印刷開始ボタン６３４が点灯する。また、ミスマッチチェック処理が実行されていない又はミスマッチチェック処理により画像形成できないジョブであると判定された印刷ジョブ名が選択された場合に、印刷開始ボタン６３４がグレイアウトする。印刷開始ボタン６３４が点灯している場合には、印刷開始ボタン６３４の押下操作による画像形成の開始指示操作が有効化されている。また、印刷開始ボタン６３４がグレイアウトしている場合には、印刷開始ボタン６３４の押下操作による開始指示操作が無効化されており、制御部５０１が開始指示操作を受付けない。
【００５３】
制御部５０１は、ホールドジョブリスト６３１に表示される印刷ジョブ名の印刷ジョブに対して、印刷開始ボタン６３４の押下操作による開始指示操作が行われることにより、印刷ジョブの待機状態を解除する。そして、制御部５０１は、待機状態解除した印刷ジョブの印刷ジョブ名を、ホールドジョブリスト６３１から消去して、プリントジョブリスト６３２に表示する。
【００５４】
制御部５０１は、待機状態を解除した印刷ジョブの印刷ジョブ名を順番に並べてプリントジョブリスト６３２に表示する。制御部５０１は、プリントジョブリスト６３２に表示されている印刷ジョブ名の順番に従って、印刷ジョブを実行して画像形成を行い、画像形成を終えた印刷ジョブの印刷ジョブ名をプリントジョブリスト６３２から消去する。
【００５５】
［ミスマッチチェック処理］
制御部５０１は、タッチパネル６００に表示される「チェック」キー６３３が押下操作されることにより、ホールドジョブリスト６３１から選択されている印刷ジョブ名の印刷ジョブのミスマッチチェック処理を実行する。ここで、ミスマッチチェック処理において制御部５０１が実行する制御処理について、図８を参照しながら説明する。図８は、ミスマッチチェック処理において制御部５０１が実行する制御処理を示すフローチャートである。タッチパネル６００に表示される「チェック」キー６３３の押下操作によるミスマッチチェック開始指示の検出に基づいて、制御部５０１は、ミスマッチチェック処理を実行する。
【００５６】
制御部５０１は、まず、シート供給元のシート保持部を確認する（ステップＳ１０１）。ステップＳ１０１の処理において、制御部５０１は、選択された印刷ジョブに含まれるシート供給元のシート保持部の情報を参照し、カセットデッキ３０１ａ〜３０１ｄ及び手差しトレイ４５１のいずれのシート保持部に載置されたシートを給送するかを判定する。
【００５７】
ステップＳ１０１の処理を実行した後に、制御部５０１は、シート供給元と判定したシート保持部を、選択した印刷ジョブの画像形成時に使用する給送対象トレイと決定する（ステップＳ１０２）。ステップＳ１０２の処理において、制御部５０１は、給送対象トレイとして決定されたシート保持部を、選択した印刷ジョブに対応づけて記憶手段に記憶させる。
【００５８】
ステップＳ１０２の処理を実行した後に、制御部５０１は、ジョブ設定優先モードを実行しているか否かを判定する（ステップＳ１０３）。ステップＳ１０３の処理において、制御部５０１は、記憶手段に格納されるフラグであり、ジョブ設定優先機能が有効化された場合にＯＮ状態に設定されるジョブ優先フラグを参照する。制御部５０１は、ジョブ優先フラグがＯＮ状態である場合に、ジョブ設定優先機能が有効に設定されてジョブ設定優先モードを実行していると判定する。また、制御部５０１は、ジョブ優先フラグがＯＦＦ状態である場合に、ジョブ設定優先機能が無効に設定されてプリンタ優先モードを実行していると判定する。
【００５９】
ステップＳ１０３の処理において、ジョブ設定優先モードを実行していると判定した場合に（ＹＥＳ）、制御部５０１は、印刷ジョブに含まれるシート属性情報が明示的に設定されているか否かを判定する（ステップＳ１０４）。ここで、印刷ジョブに含まれるシート属性情報が明示的に設定されているとは、印刷ジョブに、シート属性情報として「自動選択」が設定されておらず、サイズ、向き及び種類が指定されていることを指す。制御部５０１は、ジョブ設定優先設定機能により印刷を行う際に、印刷ジョブに含まれるシート属性情報を優先的に使用して画像形成動作を実行する。このために、印刷ジョブに、シート属性情報として「自動選択」が設定されて、サイズ、向き及び種類が指定されていない場合には、制御部５０１は、ジョブ設定優先モードにおける処理を実行することができない。従って、ジョブ設定優先モードにおける処理が実行されるためには、印刷ジョブに、シート属性情報としてサイズ、向き及び種類が指定されている必要がある。
【００６０】
ステップＳ１０４の処理において、印刷ジョブに含まれるシート属性情報が明示的に設定されていると判定した場合に（ＹＥＳ）、制御部５０１は、ジョブ設定優先モードにおける処理を実行可能と判定する。そして、制御部５０１は、選択された印刷ジョブが、警告を必要とする警告状態と判定する（ステップＳ１０５）。
【００６１】
ステップＳ１０５の処理を実行した後に、制御部５０１は、タッチパネル６００により印刷ジョブが警告状態であることを報知する（ステップＳ１０６）。図９は、ミスマッチチェックの結果を報知するためにタッチパネル６００のホールドジョブリスト６３１に表示されるアイコンを示す図である。図９（ｂ）は、印刷ジョブが警告状態であること報知する警告アイコン６４２を示す図である。制御部５０１は、図９（ｂ）に示すように、ホールドジョブリスト６３１に表示され、今回のミスマッチチェック処理が実行された印刷ジョブ名の隣に、警告アイコン６４２を表示する。
【００６２】
ステップＳ１０６の処理を実行した後に、制御部５０１は、今回のミスマッチチェック処理が実行された印刷ジョブに対する印刷開始ボタン６３４による開始指示操作を有効化する（ステップＳ１０７）。そして、制御部５０１は、ミスマッチチェック処理を終了する。
【００６３】
ステップＳ１０３の処理において、プリンタ優先モードを実行していると判定した場合に（ＮＯ）、制御部５０１は、給送対象トレイであるシート保持部に対してフリーサイズ機能が有効に設定されているか否かを判定する（ステップＳ１０８）。ステップＳ１０８の処理において、制御部５０１は、記憶手段に記憶されている給送対象トレイのシート属性情報を参照し、フリー設定値が格納されているか否かを判定する。これにより、制御部５０１は、給送対象トレイに対してフリーサイズ機能が有効に設定されているか否かを判定する。制御部５０１は、記憶手段にフリー設定値が格納されている場合に、給送対象トレイに対してフリーサイズ機能が有効に設定されていると判定する。また、制御部５０１は、記憶手段にフリー設定値が格納されてない場合に、給送対象トレイに対してフリーサイズ機能が有効に設定されていないと判定する。
【００６４】
ステップＳ１０８の処理において、給送対象トレイに対してフリーサイズ機能が有効に設定されていると判定した場合に（ＹＥＳ）、制御部５０１は、選択された印刷ジョブを実行する際にフリーサイズモードを実行すると判定する。そして、制御部５０１は、選択された印刷ジョブが警告状態であると判定し、今回のミスマッチチェック処理が実行された印刷ジョブ名の隣に、警告アイコン６４２を表示する（ステップＳ１０５，Ｓ１０６）。ステップＳ１０６の処理を実行した後に、制御部５０１は、今回のミスマッチチェック処理が実行された印刷ジョブに対する印刷開始ボタンによる開始指示操作を有効化し（ステップＳ１０７）、ミスマッチチェック処理を終了する。
【００６５】
ステップＳ１０８の処理において、給送対象トレイに対してフリーサイズ機能が有効に設定されていないと判定した場合に（ＮＯ）、制御部５０１は、選択された印刷ジョブを実行する際に通常モードを実行すると判定する。そして、制御部５０１は、給送対象トレイに印刷で必要なシートがセットされているか否かを判定する適合判定処理を実行する（ステップＳ１０９）。制御部５０１は、適合判定処理において、印刷ジョブに含まれるシート属性情報が給送対象トレイに設定されたシート属性情報に適合する場合に、給送対象トレイに印刷で必要なシートがセットされていると判定する。適合判定処理において、制御部５０１は、印刷ジョブに含まれる先頭ページのシート属性情報を参照して適合するか否かを判定する。なお、制御部５０１は、適合判定処理において、厳密に適合するか否かを判定するために、印刷ジョブに含まれる全ページのシート属性情報が給送対象トレイに設定されたシート属性情報に適合するか否かを判定するように構成されていてもよい。
【００６６】
ステップＳ１０９の処理において、給送対象トレイに印刷で必要なシートがセットされていると判定した場合に（ＹＥＳ）、制御部５０１は、印刷ジョブが、給送対象トレイのシートに適合する適合状態であると判定する（ステップＳ１１０）。そして、制御部５０１は、タッチパネル６００により印刷ジョブが適合状態であることを報知する（ステップＳ１１１）。図９（ａ）は、印刷ジョブが適合状態であること報知するＯＫアイコン６４１を示す図である。制御部５０１は、図９（ａ）に示すように、ホールドジョブリスト６３１に表示され、今回のミスマッチチェック処理が実行された印刷ジョブ名の隣に、ＯＫアイコン６４１を表示する。
【００６７】
ステップＳ１１１の処理を実行した後に、制御部５０１は、今回のミスマッチチェック処理が実行された印刷ジョブに対する印刷開始ボタン６３４による開始指示操作を有効化し（ステップＳ１０７）、ミスマッチチェック処理を終了する。
【００６８】
ステップＳ１０９の処理において、給送対象トレイに印刷で必要なシートがセットされていると判定した場合に（ＮＯ）、制御部５０１は、印刷ジョブが、給送対象トレイのシートに適合しない不適合状態であると判定する（ステップＳ１１２）。そして、制御部５０１は、タッチパネル６００により印刷ジョブが不適合状態であることを報知する（ステップＳ１１３）。図９（ｃ）は、印刷ジョブが不適合状態であること報知するＮＧアイコン６４３を示す図である。制御部５０１は、図９（ｃ）に示すように、ホールドジョブリスト６３１に表示され、今回のミスマッチチェック処理が実行された印刷ジョブ名の隣に、ＮＧアイコン６４３を表示する。そして、制御部５０１は、ミスマッチチェック処理を終了する。このように、タッチパネル６００は、印刷ジョブが適合状態、不適合状態及び警告状態のいずれであるかを報知する報知手段に相当する。
【００６９】
なお、ステップＳ１０４の処理において、印刷ジョブに含まれるシート属性情報が明示的に設定されていないと判定した場合に、制御部５０１は、ステップＳ１０９の処理を実行する。制御部５０１は、ステップＳ１０４の処理によりジョブ設定優先設定モードにおける処理を実行できないと判定したことに基づいて、通常モードを実行すると判定し、ステップＳ１０９の処理を実行する。
【００７０】
以上説明したように、制御部５０１は、ジョブ設定優先モード又はフリーサイズモードを実行する場合に、ステップＳ１０５の処理により警告を必要とする警告状態と判定する。これにより、制御部５０１は、その警告状態に基づいて制御処理を実行すること又は外部に送信して外部の装置に警告状態に基づいた制御処理を実行させることができる。制御部５０１は、警告状態に基づいて、ステップＳ１０６の処理により印刷ジョブが警告状態であることを報知するので、ユーザーは、印刷ジョブがジョブ設定優先モード又はフリーサイズモードにより実行されることを認識することができる。これにより、プリンタ１では、ユーザーの意図と反して誤ってジョブ設定優先モード又はフリーサイズモードが実行される虞を低減する。また、制御部５０１は、印刷ジョブが警告状態であることを報知することにより、印刷ジョブに含まれるシート属性情報の再確認をユーザーに促すことができる。これらにより、実際のシートの属性とは異なる誤ったシート属性情報が印刷ジョブに含まれた状態で画像形成が行われることの防止を図って、画像形成のやり直しや停止の発生を低減し、生産性の低下を招くことの防止を図ることができる。このように、ユーザーがシートに関する情報を入力する手間を削減することが可能であって、かつ生産性の低下を招くことの防止を図ることができる。
【００７１】
また、制御部５０１は、待機状態の印刷ジョブが警告状態又は適合状態である場合に、ステップＳ１０７の処理により印刷開始ボタン６３４を有効化し、待機状態の印刷ジョブが不適合状態である場合に印刷開始ボタン６３４を有効化しない。これにより、制御部５０１は、待機状態の印刷ジョブが不適合状態であるにも関わらず、その印刷ジョブに基づく画像形成を開始することの防止を図って、画像形成のやり直しや停止の発生を低減し、生産性の低下を招くことの防止を図ることができる。
【００７２】
なお、本開示のプリンタ１には、シート保持部に載置されたシートのサイズ及び向きに関する情報の入力を省略するフリーサイズ機能が実装されているが、これに限らない。プリンタ１には、シート保持部に載置されたシートの種類に関する情報の入力を省略する種類フリー機能も実装されていてもよい。この場合には、フリーサイズ機能及び種類フリー機能の少なくとも一方が有効化されている際に、制御部５０１は、ミスマッチチェック処理において、印刷ジョブが警告状態であると判定し、タッチパネル６００に警告アイコン６４２を表示する。
【００７３】
また、プリンタ１では、ステップＳ１０９の適合判定処理において、印刷ジョブに含まれる情報と給送対象トレイに設定された情報との間において、シート属性情報としてシートのサイズ、向き及び種類が適合するか否かが判定されるが、これに限らない。ステップＳ１０９の適合判定処理において、シート属性情報に加えてシート枚数情報も適合するか否かが判定されるように構成されていてもよい。この場合には、シート保持部のシート枚数の情報がタッチパネル６００により入力可能に構成されていてもよく、シート保持部に載置されたシート枚数を検知するセンサが設けられていてもよい。
【００７４】
また、印刷ジョブにシート供給元のシート保持部が指定されていない場合、すなわち、印刷ジョブに、シート供給元のシート保持部を示す情報として「自動選択」が格納されている場合にも、本開示のミスマッチチェック処理を適用可能である。印刷ジョブに供給元のシート保持部が指定されていない場合には、ステップＳ１０１，Ｓ１０２の処理において、印刷ジョブに含まれるシート属性情報と各シート保持部のシート属性情報とを参照して、所定のロジックに基づき給送対象トレイが決定される。
【００７５】
また、本開示のプリンタ１では、印刷ジョブが警告状態及び不適合状態のいずれに判定されるかに応じて、タッチパネル６００に表示されるアイコンが異なるように構成されているが、これに限らない。印刷ジョブが警告状態及び不適合状態のどちらかに判定された場合には、同じアイコンが表示されるように構成されていてもよい。この場合に、ユーザーは、印刷開始ボタン６３４がグレイアウトされているか否かにより、印刷ジョブが警告状態及び不適合状態のいずれであるかを認識することができる。
【００７６】
＜第２の実施形態＞
続いて、図１０及び図１１に沿って、本開示の第２の実施形態について説明する。なお、第１の実施形態と同様の構成については、図示を省略、又は図に同一符号を付して説明を省略する。第２の実施形態において、制御部５０１は、外部のホストコンピュータから印刷ジョブを受信した場合に、受信した印刷ジョブに応じて印刷ジョブの開始を自動的に決定するサスペンドオンミスマッチ処理を実行する。なお、以下では、サスペンドオンミスマッチ（Ｓｕｓｐｅｎｄ  ｏｎ  Ｍｉｓｍａｔｃｈ）をＳｏＭとも記載する。
【００７７】
制御部５０１は、外部から印刷ジョブを受信すると、ＳｏＭ処理において、受信して待機状態にある印刷ジョブが適合状態であると判定した場合に画像形成の開始を決定する印刷開始処理を実行する。待機状態の印刷ジョブが警告状態又は不適合状態であると判定した場合には、制御部５０１は、タッチパネル６００による開始指示操作を検出するまで画像形成の開始を決定しない。ただし、制御部５０１は、ＳｏＭ処理において、待機状態の印刷ジョブが警告状態又は不適合状態と判定してから予め設定したタイムアウト時間経過するまでの間に開始指示操作が検出されなかった場合に、実行中の印刷開始処理を中断するように構成されている。
【００７８】
制御部５０１は、実行中の印刷開始処理を中断した場合に、中断した印刷開始処理の印刷ジョブをサスペンド状態のジョブとして記憶手段に記憶させる。そして、制御部５０１は、サスペンド状態の印刷ジョブの後に受信した後続の印刷ジョブであり、待機状態の印刷ジョブに対する印刷開始処理を開始する。このように、制御部５０１は、先行する印刷ジョブの画像形成の開始が決定されなかったとしても、その印刷ジョブの印刷開始処理を後回しにして、後続の印刷ジョブの印刷開始処理を実行する。これにより、制御部５０１は、後続全ての印刷ジョブの印刷開始処理が実行されなくなる虞を低減することができる。なお、制御部５０１は、サスペンド状態の印刷ジョブに対する開始指示操作を検出した場合に、サスペンド状態を解除して中断していたその印刷ジョブの印刷開始処理を再開し、その印刷ジョブに基づいた画像形成の開始を決定するように構成されている。
【００７９】
ここで、ＳｏＭ処理において制御部５０１が実行する制御処理について、図１０を参照しながら説明する。図１０は、ＳｏＭ処理において制御部５０１が実行する制御処理を示すフローチャートである。外部のホストコンピュータから印刷ジョブを受信して待機状態となっている印刷ジョブが記憶手段に格納されていると判定した場合に、制御部５０１は、ＳｏＭ処理を実行する。
【００８０】
制御部５０１は、まず、待機状態の印刷ジョブの印刷開始処理を開始する（ステップＳ２０１）。ステップＳ２０１の処理において、待機状態である印刷ジョブが複数ある場合に、制御部５０１は、複数の待機状態の印刷ジョブのうち、受信した時間が最も早い待機状態の印刷ジョブにおける印刷開始処理を開始する。
【００８１】
ステップＳ２０１の処理を実行した後に、制御部５０１は、印刷開始処理を実行している印刷ジョブが適合状態、警告状態及び不適合状態のいずれの状態であるかを判定する状態判定処理を実行する（Ｓ２０２）。この処理において、制御部５０１は、第１の実施形態のミスマッチチェック処理と略同様の処理を実行する。ただし、制御部５０１は、状態判定処理において、適合状態、警告状態及び不適合状態のいずれの状態であるかを報知する処理及び開始指示操作の受付けを有効化する処理を実行しない。具体的には、ステップＳ１０６，Ｓ１０７，Ｓ１１１，Ｓ１１３の処理が第２の実施形態の状態判定処理において実行されない。
【００８２】
ステップＳ２０２の処理を実行した後に、制御部５０１は、状態判定処理の結果、印刷ジョブが適合状態と判定されたか否かを判定する（ステップＳ２０３）。この処理において、印刷ジョブが適合状態と判定されたと判定した場合に（ＹＥＳ）、制御部５０１は、現在印刷開始処理を実行している印刷ジョブに基づく画像形成の開始を決定して、印刷開始処理を終了し（ステップＳ２０４）、ＳｏＭ処理を終了する。
【００８３】
ステップＳ２０３の処理において印刷ジョブが警告状態又は不適合状態と判定した場合に（ＮＯ）、制御部５０１は、タッチパネル６００により、印刷開始処理を実行中の印刷ジョブについて画像形成の開始を保留していることを報知する（ステップＳ２０５）。図１１は、フリーサイズモードの実行により画像形成の開始が保留となっていることを報知する保留画面が表示されたタッチパネル６００を示す図である。制御部５０１は、図１１のように、タッチパネル６００により、印刷開始処理を実行中の印刷ジョブにおける画像形成の開始が保留となっていることを報知すると共に、印刷開始処理を実行している印刷ジョブが警告状態であることを報知する。
【００８４】
また、ステップＳ２０５の処理において、制御部５０１は、印刷開始処理を実行している印刷ジョブによる画像形成の開始指示操作と、印刷開始処理を中止するための中止指示操作と、の受付けを有効化する。制御部５０１は、タッチパネル６００の保留画面に、開始指示操作を行うための開始キー及び中止指示操作を行うための中止キーを表示させる。そして、制御部５０１は、開始キーの押下操作により開始指示操作を検出し、中止キーの押下操作により中止指示操作を検出する。
【００８５】
一例として、フリーサイズモードの実行により画像形成の開始が保留となっている場合に、制御部５０１は、図１１に示すように、タッチパネル６００の保留画面に、シート供給元のシート保持部を選択するトレイ選択キー群６５１を表示する。タッチパネル６００の保留画面では、トレイ選択キー群６５１のうち現在のシート供給元のシート保持部に該当する選択キーが選択された状態で表示されるが、改めてシート供給元をトレイ選択キー群６５１から選択可能となっている。制御部５０１は、保留画面に表示されるＯＫキー６５２が押下操作されることにより、現在選択されているシート保持部をシート供給元として画像形成を開始する開始指示操作を検出する。また、制御部５０１は、保留画面に表示される「中止」キー６５３が押下操作されることにより、印刷開始処理を中止するための中止指示操作を検出する。
【００８６】
ステップＳ２０５の処理を実行した後に、制御部５０１は、実行中の印刷開始処理における印刷ジョブに対する開始指示操作を検出したか否かを判定する（ステップＳ２０６）。この処理において、開始指示操作を検出したと判定した場合に（ＹＥＳ）、制御部５０１は、現在印刷開始処理を実行している印刷ジョブに基づく画像形成の開始を決定して、印刷開始処理を終了し（ステップＳ２０４）、ＳｏＭ処理を終了する。このように、開始指示操作の検出に基づいて、制御部５０１は、警告状態の印刷ジョブの待機状態を解除して画像形成の開始を決定すること可能であり、不適合状態の印刷ジョブの待機状態を強制的に解除して強制的に画像形成の開始を決定すること可能である。
【００８７】
ステップＳ２０６の処理において、開始指示操作を検出していないと判定した場合に（ＮＯ）、制御部５０１は、実行中の印刷開始処理に対する中止指示操作を検出したか否かを判定する（ステップＳ２０７）。この処理において、中止指示操作を検出したと判定した場合に（ＹＥＳ）、制御部５０１は、印刷開始処理を実行している印刷ジョブをＨＤＤ５０２から消去して印刷開始処理を中止し（ステップＳ２０８）、ＳｏＭ処理を終了する。
【００８８】
ステップＳ２０７の処理において、中止指示操作を検出していないと判定した場合に（ＮＯ）、制御部５０１は、ステップＳ２０２の状態判定処理を実行してから予め設定されたタイムアウト時間経過したか否かを判定する（ステップＳ２０９）。この処理において、タイムアウト時間経過したと判定した場合に（ＹＥＳ）、制御部５０１は、印刷開始処理を実行している印刷ジョブをサスペンド状態に設定して、実行している印刷開始処理を中断し（ステップＳ２１０）、ＳｏＭ処理を終了する。制御部５０１は、印刷開始処理を中断することにより、待機状態である他の印刷ジョブの印刷開始処理を開始することができる。
【００８９】
ステップＳ２０９の処理において、タイムアウト時間経過していないと判定した場合に（ＮＯ）、制御部５０１は、ステップＳ２０２において実行した状態判定処理と同様の状態判定処理を実行する（ステップＳ２１１）。
【００９０】
ステップＳ２１１の処理を実行した後に、制御部５０１は、ステップＳ２１１の状態判定処理により印刷ジョブが適合状態であると判定したか否かを判定する（ステップＳ２１２）。この処理において、印刷ジョブが適合状態と判定されたと判定した場合に（ＹＥＳ）、制御部５０１は、現在印刷開始処理を実行している印刷ジョブに基づく画像形成の開始を決定して、印刷開始処理を終了し（ステップＳ２０４）、ＳｏＭ処理を終了する。すなわち、ステップＳ２０２の状態判定処理が実行されてからタイムアウト時間経過するまでに、警告状態又は不適合状態と判定された要因が取り除かれた場合には、制御部５０１は、印刷開始処理を実行している印刷ジョブに基づく画像形成の開始を決定する。
【００９１】
ステップＳ２１２の処理において、印刷ジョブが警告状態又は不適合状態であると判定した場合に（ＮＯ）、制御部５０１は、ステップＳ２０６の処理を再度実行する。すなわち、ステップＳ２０２の状態判定処理が実行されてからタイムアウト時間経過するまでの間に、開始指示操作を検出した場合に、制御部５０１は、印刷開始処理を実行している印刷ジョブに基づく画像形成の開始を決定する。また、中止指示操作を検出した場合に、制御部５０１は、印刷開始処理の中止を行う。
【００９２】
また、制御部５０１は、開始指示操作及び中止指示操作を検出せず、かつ状態判定処理において適合状態と判定しない場合に、ステップＳ２０２の処理が実行されてからタイムアウト時間経過するまで繰り返しステップＳ２１１の状態判定処理を実行する。なお、ステップＳ２１１の状態判定処理を繰り返し実行する場合に、制御部５０１は、所定の間隔をおいてステップＳ２１１の状態判定処理を実行することが好ましい。
【００９３】
以上説明したように、制御部５０１は、待機状態の印刷ジョブが警告状態であると判定した場合に、開始指示操作の検出に基づいて画像形成を開始する。これにより、ユーザーは、ジョブ設定優先モード又はフリーサイズモードにおいて画像形成が行われることを確認することができ、ユーザーの意図と反して誤ってジョブ設定優先モード又はフリーサイズモードが実行される虞を低減する。また、制御部５０１は、開始指示操作を検出するまで画像形成を開始しないので、その間に印刷ジョブに含まれるシート属性情報の再確認をユーザーに行わせることができる。これにより、制御部５０１は、実際のシートの属性とは異なる誤ったシート属性情報が印刷ジョブに含まれた状態で画像形成が行われることの防止を図って、画像形成のやり直しや停止の発生を低減し、生産性の低下を招くことの防止を図ることができる。また、制御部５０１は、待機状態の印刷ジョブが適合状態であると判定した場合に、画像形成を開始するので、ユーザーが開始指示操作を行わずとも自動的に画像形成を開始するので、ユーザーの手間を削減することができる。
【００９４】
また、制御部５０１は、待機状態の印刷ジョブが不適合状態であると判定した場合に、開始指示操作の検出に基づいて、画像形成を強制的に開始する。これにより、制御部５０１は、待機状態の印刷ジョブが警告状態又は不適合状態である場合に、自動的に画像形成が開始されることを防止することができる。これにより、制御部５０１は、実際のシートの属性とは異なる誤ったシート属性情報が印刷ジョブに含まれた状態で画像形成が行われることの防止を図って、画像形成のやり直しや停止の発生を低減し、生産性の低下を招くことの防止を図ることができる。
【００９５】
なお、本開示の第２の実施形態において、制御部５０１は、開始指示操作及び中止指示操作を検出せず、かつ状態判定処理において適合状態と判定しない場合に、ポーリング的に繰り返しステップＳ２１１の状態判定処理を実行するが、これに限らない。制御部５０１は、給送対象トレイに設定されているシート属性情報が変更された等のイベントを契機として、ステップＳ２１１の状態判定処理を実行するように構成されていてもよい。
【００９６】
＜第３の実施形態＞
続いて、図１２及び図１３に沿って、本開示の第３の実施形態について説明する。なお、第１の実施形態と同様の構成については、図示を省略、又は図に同一符号を付して説明を省略する。第３の実施形態における制御部５０１は、ジョブ設定優先モードにおけるミスマッチチェック処理において印刷ジョブを、擬似的に適合状態又は不適合状態と判定可能に構成されている。また、制御部５０１は、フリーサイズモードにおけるミスマッチチェック処理において印刷ジョブを、警告状態ではなく、適合状態又は不適合状態と判定可能にも構成されている。
【００９７】
制御部５０１は、ジョブ設定優先モードにおいて、印刷ジョブを警告状態と判定する警告モードと、擬似的に適合状態と判定する適合モードと、擬似的に不適合状態と判定する不適合モードと、を含むいずれかの判定モードを実行する。また、制御部５０１は、フリーサイズモードにおいて、警告モードと、警告状態と判定せずに適合状態と判定する適合モードと、警告状態と判定せずに不適合状態と判定する不適合モードと、を含むいずれかの判定モードを実行する。すなわち、制御部５０１は、フリーサイズモードにおけるミスマッチチェック処理により判定する状態と、ジョブ設定優先モードにおけるミスマッチチェック処理により判定する状態と、をそれぞれ設定可能に構成されている。このように、適合モード及び不適合モードは、印刷ジョブが警告状態であると判定することを無効化するモードであり、非警告モードに相当する。
【００９８】
図１２は、判定モードを切換える際にタッチパネル６００に表示される状態判定設定画面を示す図である。状態判定設定画面には、図１２に示すように、警告モードを選択する「警告」キー６６１ａ，６６２ａと、不適合モードを選択する「エラー」キー６６１ｂ，６６２ｂと、適合モードを選択する「無視」キー６６１ｃ，６６２ｃと、が表示される。「警告」キー６６１ａ、「エラー」キー６６１ｂ及び「無視」キー６６１ｃは、フリーサイズモードにおいて判定する状態を切換えるためのキーである。また、「警告」キー６６２ａ、「エラー」キー６６２ｂ及び「無視」キー６６２ｃは、ジョブ設定優先モードにおいて判定する状態を切換えるためのキーである。
【００９９】
ユーザーは、「警告」キー６６１ａ、「エラー」キー６６１ｂ及び「無視」キー６６１ｃのいずれかのキーを選択し、状態判定設定画面に表示される「ＯＫ」キー６６３を押下操作する。これにより、制御部５０１は、選択された判定モードを実行し、フリーサイズモードにおけるミスマッチチェック処理において、実行している判定モードに基づいて、印刷ジョブの状態を判定する。また、ユーザーは、「警告」キー６６２ａ、「エラー」キー６６２ｂ及び「無視」キー６６２ｃのいずれかのキーを選択し、状態判定設定画面に表示される「ＯＫ」キー６６３を押下操作する。これにより、制御部５０１は、選択された判定モードを実行し、ジョブ設定優先モードにおけるミスマッチチェック処理において、実行している判定モードに基づいて、印刷ジョブの状態を判定する。
【０１００】
ここで、第３の実施形態のミスマッチチェック処理において制御部５０１が実行する制御処理について、図１３を参照しながら説明する。図１３は、ミスマッチチェック処理において制御部５０１が実行する制御処理を示すフローチャートである。なお、第１の実施形態のミスマッチチェック処理と同様の処理については、図に同一符号を付して説明を省略する。
【０１０１】
ステップＳ１０４の処理において印刷ジョブに含まれるシート属性情報が明示的に設定されていると判定した場合に（ＹＥＳ）、制御部５０１は、ジョブ設定優先モードにおける判定モードが適合モードに設定されているか否かを判定する（ステップＳ３０１）。ステップＳ３０１の処理において、適合モードに設定されていると判定した場合に（ＹＥＳ）、制御部５０１は、印刷ジョブが適合状態であると判定し、ホールドジョブリスト６３１にＯＫアイコン６４１を表示する（ステップＳ１１０，Ｓ１１１）。
【０１０２】
ステップＳ３０１において、適合モードに設定されていないと判定した場合に（ＮＯ）、制御部５０１は、ジョブ設定優先モードにおける判定モードが警告モードに設定されているか否かを判定する（ステップＳ３０２）。この処理において、警告モードに設定されていると判定した場合に（ＹＥＳ）、制御部５０１は、通常通りに、印刷ジョブを警告状態と判定し、ホールドジョブリスト６３１に警告アイコン６４２を表示する（ステップＳ１０５，Ｓ１０６）。
【０１０３】
ステップＳ３０２の処理において、警告モードに設定されていないと判定した場合に（ＮＯ）、制御部５０１は、不適合モードに設定されていると判定して、印刷ジョブを不適合状態と判定する（ステップＳ１１２）。そして、制御部５０１は、ホールドジョブリスト６３１にＮＧアイコン６４３を表示する（ステップＳ１１３）。
【０１０４】
ステップＳ１０８の処理において給送対象トレイに対してフリーサイズ機能が有効に設定されていると判定した場合に（ＹＥＳ）、制御部５０１は、フリーサイズモードにおける判定モードが適合モードに設定されているか否かを判定する（ステップＳ３０３）。ステップＳ３０３の処理において、適合モードに設定されていると判定した場合に（ＹＥＳ）、制御部５０１は、印刷ジョブが適合状態であると判定し、ホールドジョブリスト６３１にＯＫアイコン６４１を表示する（ステップＳ１１０，Ｓ１１１）。
【０１０５】
ステップＳ３０３において、適合モードに設定されていないと判定した場合に（ＮＯ）、制御部５０１は、フリーサイズモードにおける判定モードが警告モードに設定されているか否かを判定する（ステップＳ３０４）。この処理において、警告モードに設定されていると判定した場合に（ＹＥＳ）、制御部５０１は、通常通りに、印刷ジョブを警告状態と判定し、ホールドジョブリスト６３１に警告アイコン６４２を表示する（ステップＳ１０５，Ｓ１０６）。
【０１０６】
ステップＳ３０４の処理において、警告モードに設定されていないと判定した場合に（ＮＯ）、制御部５０１は、不適合モードに設定されていると判定して、印刷ジョブを不適合状態と判定する（ステップＳ１１２）。そして、制御部５０１は、ホールドジョブリスト６３１にＮＧアイコン６４３を表示する（ステップＳ１１３）。
【０１０７】
以上説明したように、制御部５０１は、警告モードを実行している場合に印刷ジョブを警告モードと判定する。一方、適合モードを実行している場合に、制御部５０１は、印刷ジョブを警告モードと判定せず、ジョブ設定優先モードにおいて、印刷ジョブを擬似的に適合状態と判定し、フリーサイズモードにおいて、印刷ジョブを適合状態と判定する。このように、ユーザーは、ジョブ設定優先モード又はフリーサイズモードにおいて、制御部５０１が印刷ジョブを警告状態と判定して警告アイコン６４２を表示させるか否かを切換えることができる。すなわち、ユーザーは、意図してジョブ設定優先モード又はフリーサイズモードを実行させるために警告状態の報知の必要性を有さない場合に、警告状態の報知を行わないように設定することができる。これにより、ジョブ設定優先モード又はフリーサイズモードによる画像形成の利便性を向上させることができる。
【０１０８】
＜変形例＞
なお、上記第１〜第３実施形態では、タッチパネル６００により画像形成の開始指示操作が行われたが、これに限らず、例えばホストコンピュータによって画像形成の開始指示操作が行われるように構成されていてもよい。また、適合状態、不適合状態及び警告状態のいずれであるかの報知も、ホストコンピュータによって画像形成の開始指示操作が行われるように構成されていてもよい。
【０１０９】
また、上記第１〜第３実施形態では、ミスマッチチェック処理及びＳｏＭ処理がプリンタ１により実行されるように構成されているが、これに限らない。例えば、プリンタ１は、プリンタ１の各シート保持部に載置されたシートのシート属性情報をホストコンピュータに送信し、ミスマッチチェック処理及びＳｏＭ処理がホストコンピュータにより実行されるように構成されていてもよい。
【０１１０】
また、上記第１〜第３実施形態のプリンタ１では、ジョブ設定優先機能及びフリーサイズ機能を実装するように構成されているが、これに限らず、ジョブ設定優先機能及びフリーサイズ機能のどちらか一方のみを実装するように構成されていてもよい。
【０１１１】
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【０１１２】
３０１ａ〜３０１ｄ，４５１  シート保持部（カセットデッキ、手差しトレイ）：４００  画像形成手段（画像形成部）：５０２〜５０４  記憶手段（ＨＤＤ，ＲＡＭ，ＲＯＭ）：５０１  制御手段（ＣＰＵ）：６００  報知手段（タッチパネル）
【図１】
2018063293.tif 000003
【図２】
2018063293.tif 000004
【図３】
2018063293.tif 000005
【図４】
2018063293.tif 000006
【図５】
2018063293.tif 000007
【図６】
2018063293.tif 000008
【図７】
2018063293.tif 000009
【図８】
2018063293.tif 000010
【図９】
2018063293.tif 000011
【図１０】
2018063293.tif 000012
【図１１】
2018063293.tif 000013
【図１２】
2018063293.tif 000014
【図１３】
2018063293.tif 000015